(57)【要約】【課題】表示部に表示される情報の秘匿性を確保すると共に、前記情報を利用するユーザーの利便性を向上可能な表示装置、情報処理装置、及び情報表示方法を提供すること。【解決手段】画像処理装置は、予め定められた特定情報が操作表示部に表示されている場合に、画像処理装置から予め定められた範囲内における人物の移動速度を検出し（ステップＳ３）、検出された前記人物の移動速度に基づいて前記特定情報の隠蔽の有無を判断し（ステップＳ５、ステップＳ６）、判断結果に応じて前記操作表示部に表示されている前記特定情報を隠蔽する（ステップＳ７）。【選択図】図４
2016173725.tif 000002
【特許請求の範囲】
【請求項１】
表示装置から予め定められた範囲内における人物の移動速度を検出する速度検出部と、
予め定められた特定情報が表示部に表示されている場合に、前記速度検出部により検出される前記人物の移動速度に基づいて前記特定情報の隠蔽の有無を判断する判断処理部と、
前記判断処理部による判断結果に応じて前記表示部に表示されている前記特定情報を隠蔽する隠蔽処理部と、
を備える表示装置。
【請求項２】
前記判断処理部が、前記速度検出部により検出される前記人物の移動速度が予め定められた閾値未満である場合に前記特定情報を隠蔽すると判断する請求項１に記載の表示装置。
【請求項３】
前記速度検出部が、予め定められた間隔で前記人物の移動速度を検出し、
前記判断処理部が、前記速度検出部により検出される前記人物の移動速度が前記間隔ごとに減少している場合に前記特定情報を隠蔽すると判断する請求項１又は２に記載の表示装置。
【請求項４】
前記速度検出部が、予め定められた間隔で前記人物の移動速度を検出し、
前記隠蔽処理部が、前記特定情報を隠蔽した後に前記速度検出部により検出される前記人物の移動速度が前記間隔ごとに増加している場合に前記特定情報の隠蔽状態を解除する請求項１〜３のいずれかに記載の表示装置。
【請求項５】
前記速度検出部が、前記人物の前記表示装置に近づく移動速度及び前記表示装置から遠ざかる移動速度を区別して検出し、
前記判断処理部が、前記速度検出部により検出される前記人物の前記表示装置に近づく移動速度に基づいて前記特定情報の隠蔽の有無を判断する請求項１〜４のいずれかに記載の表示装置。
【請求項６】
前記表示装置を操作するユーザーを他の人物と区別して特定する特定処理部を更に備え、
前記速度検出部が、前記特定処理部により特定される前記ユーザーとは異なる前記他の人物の移動速度を検出する請求項１〜５のいずれかに記載の表示装置。
【請求項７】
前記速度検出部が、前記人物が所持する携帯端末の移動速度を前記人物の移動速度として検出する請求項１〜６のいずれかに記載の表示装置。
【請求項８】
前記隠蔽処理部が、前記速度検出部により検出される前記人物の移動速度に応じて前記特定情報を段階的に隠蔽する請求項１〜７のいずれかに記載の表示装置。
【請求項９】
前記特定情報が、前記ユーザーにより入力されるパスワードを含む請求項１〜８のいずれかに記載の表示装置。
【請求項１０】
請求項１〜９のいずれかに記載の表示装置を備える情報処理装置。
【請求項１１】
原稿から画像データを読み取り可能な画像読取部、及び画像データに基づいて画像を形成可能な画像形成部のいずれか一方又は両方を備える請求項１０に記載の情報処理装置。
【請求項１２】
表示部を備える表示装置から予め定められた範囲内における人物の移動速度を検出する第１ステップと、
予め定められた特定情報が前記表示部に表示されている場合に、前記第１ステップにより検出される前記人物の移動速度に基づいて前記特定情報の隠蔽の有無を判断する第２ステップと、
前記第２ステップによる判断結果に応じて前記表示部に表示されている前記特定情報を隠蔽する第３ステップと、
を含む情報表示方法。
【発明の詳細な説明】
【技術分野】
【０００１】
本発明は、表示装置、表示装置を備える情報処理装置、及び情報表示方法に関する。
【背景技術】
【０００２】
一般に、液晶ディスプレーなどの表示部を備えるプリンターのような情報処理装置が知られている。この種の情報処理装置の表示部では、ユーザー操作に応じてパスワードなどの秘匿性の高い情報が表示されることがある。ここで、情報処理装置を操作するユーザー以外の第三者が情報処理装置の近辺に存在する場合には、表示部に表示されている情報がその第三者によって覗き見られるおそれがある。これに対し、情報処理装置の近辺で第三者の存在が検知された場合に、表示部に表示されている情報を隠蔽する技術が知られている（特許文献１参照）。
【先行技術文献】
【特許文献】
【０００３】
【特許文献１】特開２０１４−５６３４５号公報
【発明の概要】
【発明が解決しようとする課題】
【０００４】
しかしながら、第三者が他の場所への移動途中に情報処理装置の近辺を足早に通過する場合のように、情報処理装置の近辺に第三者が存在するとしても、その第三者に表示部に表示されている情報を覗き見られるおそれがない場合もある。そのため、情報処理装置の近辺で第三者の存在が検知された場合に、一律に表示部に表示されている情報が隠蔽されると、前記情報を利用するユーザーの利便性が低下する。
【０００５】
本発明の目的は、表示部に表示される情報の秘匿性を確保すると共に、前記情報を利用するユーザーの利便性を向上可能な表示装置、情報処理装置、及び情報表示方法を提供することにある。
【課題を解決するための手段】
【０００６】
本発明の一の局面に係る表示装置は、速度検出部と、判断処理部と、隠蔽処理部とを備える。前記速度検出部は、表示装置から予め定められた範囲内における人物の移動速度を検出する。前記判断処理部は、予め定められた特定情報が表示部に表示されている場合に、前記速度検出部により検出される前記人物の移動速度に基づいて前記特定情報の隠蔽の有無を判断する。前記隠蔽処理部は、前記判断処理部による判断結果に応じて前記表示部に表示されている前記特定情報を隠蔽する。
【０００７】
本発明の他の局面に係る情報処理装置は、表示装置を備える。前記表示装置は、速度検出部と、判断処理部と、隠蔽処理部とを備える。前記速度検出部は、表示装置から予め定められた範囲内における人物の移動速度を検出する。前記判断処理部は、予め定められた特定情報が表示部に表示されている場合に、前記速度検出部により検出される前記人物の移動速度に基づいて前記特定情報の隠蔽の有無を判断する。前記隠蔽処理部は、前記判断処理部による判断結果に応じて前記表示部に表示されている前記特定情報を隠蔽する。
【０００８】
本発明の他の局面に係る情報表示方法は、以下の第１ステップ、第２ステップ、及び第３ステップを含む。前記第１ステップは、表示部を備える表示装置から予め定められた範囲内における人物の移動速度を検出する。前記第２ステップは、予め定められた特定情報が前記表示部に表示されている場合に、前記第１ステップにより検出される前記人物の移動速度に基づいて前記特定情報の隠蔽の有無を判断する。前記第３ステップは、前記第２ステップによる判断結果に応じて前記表示部に表示されている前記特定情報を隠蔽する。
【発明の効果】
【０００９】
本発明によれば、表示部に表示される情報の秘匿性を確保すると共に、前記情報を利用するユーザーの利便性を向上可能な表示装置、情報処理装置、及び情報表示方法が実現される。
【図面の簡単な説明】
【００１０】
【図１】図１は、本発明の実施形態に係る画像処理装置を含む通信システムの構成を示すブロック図である。
【図２】図２は、本発明の実施形態に係る画像処理装置の構成を示す図である。
【図３】図３は、本発明の実施形態に係る画像処理装置の設置状況の一例を示す図である。
【図４】図４は、本発明の実施形態に係る画像処理装置で実行される特定情報隠蔽処理の一例を示すフローチャートである。
【発明を実施するための形態】
【００１１】
以下、添付図面を参照しながら、本発明の実施形態について説明し、本発明の理解に供する。なお、以下の実施形態は、本発明を具体化した一例であって、本発明の技術的範囲を限定するものではない。
【００１２】
［通信システム１００］
本発明の実施形態に係る画像処理装置１０を含む通信システム１００は、図１に示すように、画像処理装置１０と、一又は複数の携帯端末２０とを備える。携帯端末２０は、例えばスマートフォンなどの情報処理装置である。画像処理装置１０は、携帯端末２０との間で無線によるデータ通信を実行することが可能である。
【００１３】
［画像処理装置１０の概略構成］
以下、図１及び図２を参照しつつ、本発明の実施形態に係る画像処理装置１０の概略構成について説明する。ここで、図２は画像処理装置１０の構成を示す断面模式図である。
【００１４】
画像処理装置１０は、原稿から画像データを読み取るスキャン機能、及び画像データに基づいて画像を形成するプリント機能と共に、ファクシミリ機能、又はコピー機能などの複数の機能を有する複合機である。ここに、画像処理装置１０が、本発明における情報処理装置の一例である。なお、本発明は、スキャナー装置、プリンター装置、ファクシミリ装置、コピー機、パーソナルコンピューター、スマートフォン、タブレット端末、テレビ、ＡＴＭなどの情報処理装置に適用可能である。
【００１５】
具体的に、画像処理装置１０は、図１及び図２に示すように、ＡＤＦ１、画像読取部２、画像形成部３、給紙部４、制御部５、操作表示部６、通信部７、及び記憶部８を備える。ここに、制御部５及び操作表示部６を備える装置が、本発明における表示装置の一例である。
【００１６】
ＡＤＦ１は、不図示の原稿セット部、複数の搬送ローラー、原稿押さえ、及び排紙部を備え、画像読取部２によって読み取られる原稿を搬送する自動原稿搬送装置である。画像読取部２は、不図示の原稿台、光源、複数のミラー、光学レンズ、及びＣＣＤ（Charge Coupled Device）を備え、原稿から画像データを読み取ることが可能である。
【００１７】
画像形成部３は、画像読取部２で読み取られた画像データ又は外部のパーソナルコンピューター等の情報処理装置から入力された画像データに基づいて、電子写真方式でカラー又はモノクロの画像を形成する画像形成処理（印刷処理）を実行可能である。具体的に、画像形成部３は、Ｃ（シアン）、Ｍ（マゼンタ）、Ｙ（イエロー）、及びＫ（ブラック）に対応する複数の画像形成ユニット、光走査装置（ＬＳＵ）、中間転写ベルト、二次転写ローラー、定着装置、及び排紙トレイを備える。そして、画像形成部３では、給紙部４から供給されるシートにカラー又はモノクロの画像が形成されて、画像形成後の前記シートが前記排紙トレイに排出される。
【００１８】
制御部５は、不図示のＣＰＵ、ＲＯＭ、及びＲＡＭなどの制御機器を備える。前記ＣＰＵは、各種の演算処理を実行するプロセッサーである。前記ＲＯＭは、前記ＣＰＵに各種の処理を実行させるための制御プログラムなどの情報が予め記憶される不揮発性の記憶部である。前記ＲＡＭは、前記ＣＰＵが実行する各種の処理の一時記憶メモリー（作業領域）として使用される揮発性の記憶部である。制御部５では、前記ＣＰＵにより前記ＲＯＭに予め記憶された各種の制御プログラムが実行される。これにより、画像処理装置１０が制御部５により統括的に制御される。なお、制御部５は、集積回路（ＡＳＩＣ）などの電子回路で構成されたものであってもよく、画像処理装置１０を統括的に制御するメイン制御部とは別に設けられた制御部であってもよい。
【００１９】
操作表示部６は、制御部５からの制御指示に応じて各種の情報を表示する液晶ディスプレーなどの表示部、及びユーザーの操作に応じて制御部５に各種の情報を入力する操作キー又はタッチパネルなどの操作部を有する。ここに、操作表示部６が、本発明における表示部の一例である。
【００２０】
通信部７は、外部の通信機器との間でデータ通信を実行可能な通信インターフェイスである。具体的に、通信部７は、携帯端末２０などの外部通信機器との間で、Ｂｌｕｅｔｏｏｔｈ（登録商標）で規定された所定の通信プロトコルに従って無線によるデータ通信を実行する。例えば、通信部７は、クラス２と称される電波強度（２．５ｍＷ）で、画像処理装置１０から約１０ｍの範囲に存在する外部通信機器との間でＢｌｕｅｔｏｏｔｈによる無線通信を実行可能である。なお、通信部７は、携帯端末２０との間でＷｉ―Ｆｉダイレクト（登録商標）などの無線ＬＡＮの通信規格に従った無線通信を実行してもよい。
【００２１】
記憶部８は、ＳＳＤ（ソリッドステートドライブ）又はＨＤＤ（ハードディスクドライブ）などの記憶装置である。記憶部８には、制御部５がユーザーを認証するために用いる認証情報が記憶される。例えば、前記認証情報は、ユーザー毎に予め定められたユーザー名及びパスワードである。なお、記憶部８に替えて、制御部５にＥＥＰＲＯＭ（登録商標）などの不揮発性メモリーが設けられていてもよい。
【００２２】
ところで、画像処理装置１０のような情報処理装置の表示部では、ユーザー操作に応じてパスワードなどの秘匿性の高い情報が表示されることがある。ここで、情報処理装置を操作するユーザー以外の第三者が情報処理装置の近辺に存在する場合には、表示部に表示されている情報がその第三者によって覗き見られるおそれがある。これに対し、情報処理装置の近辺で第三者の存在が検知された場合に、表示部に表示されている情報を隠蔽する技術が知られている。
【００２３】
しかしながら、第三者が他の場所への移動途中に情報処理装置の近辺を足早に通過する場合のように、情報処理装置の近辺に第三者が存在するとしても、その第三者に表示部に表示されている情報を覗き見られるおそれがない場合もある。そのため、情報処理装置の近辺で第三者の存在が検知された場合に、一律に表示部に表示されている情報が隠蔽されると、前記情報を利用するユーザーの利便性が低下する。これに対し、本発明の実施形態に係る画像処理装置１０では、以下に説明するように、操作表示部６に表示される情報の秘匿性が確保されると共に、前記情報を利用するユーザーの利便性を向上させることが可能である。
【００２４】
具体的に、制御部５の前記ＲＯＭには、前記ＣＰＵに後述の特定情報隠蔽処理（図４のフローチャート参照）を実行させるための特定情報隠蔽プログラムが予め記憶されている。なお、前記特定情報隠蔽プログラムは、ＣＤ、ＤＶＤ、フラッシュメモリーなどのコンピューター読み取り可能な記録媒体に記録されており、前記記録媒体から読み取られて記憶部８にインストールされるものであってもよい。
【００２５】
そして、制御部５は、図１に示すように、認証処理部５１、特定処理部５２、速度検出部５３、判断処理部５４、及び隠蔽処理部５５を含む。具体的に、制御部５は、前記ＣＰＵを用いて前記ＲＯＭに記憶されている前記特定情報隠蔽プログラムを実行することにより、認証処理部５１、特定処理部５２、速度検出部５３、判断処理部５４、及び隠蔽処理部５５として機能する。
【００２６】
認証処理部５１は、予め設定された認証操作に応じてユーザーを認証するログイン処理を実行する。具体的に、認証処理部５１は、操作表示部６に前記認証操作を行うための認証画面を必要に応じて表示させる。そして、認証処理部５１は、前記認証画面においてユーザーによる操作表示部６に対するログイン情報の入力操作を受け付ける。前記ログイン情報は、ユーザー名及びパスワードである。
【００２７】
その後、認証処理部５１は、操作表示部６から入力された前記ログイン情報が記憶部８に記憶されている前記認証情報に含まれている場合に認証完了と判断し、ユーザーを画像処理装置１０にログインさせる。なお、認証処理部５１は、操作表示部６に対するログアウト操作が行われた場合、予め設定された時間が経過した場合、又は他のユーザーをログインさせる場合に、現在ログイン中のユーザーをログアウトさせるログアウト処理を実行する。
【００２８】
特定処理部５２は、画像処理装置１０を操作するユーザーを他の人物と区別して特定する。例えば、特定処理部５２は、画像処理装置１０の周囲に存在する複数の人物各々により所持される複数の携帯端末２０各々を識別可能に認識する。そして、特定処理部５２は、認識された複数の携帯端末２０各々と画像処理装置１０との間の距離に基づいて、認識された複数の携帯端末２０から画像処理装置１０を操作するユーザーの所持する携帯端末２０を特定する。
【００２９】
例えば、特定処理部５２は、ｉＢｅａｃｏｎ（登録商標）などの通信手法を用いて、画像処理装置１０の周囲に存在する複数の携帯端末２０各々を識別可能に認識する。具体的に、複数の携帯端末２０各々には、予め外部のサーバーから個々の携帯端末２０ごとに情報内容が異なるｕｕｉｄなどの通信識別情報が付与される。また、前記サーバーには、前記通信識別情報が付与された携帯端末２０各々の端末識別情報が登録される。前記通信識別情報を付与された携帯端末２０からは、前記通信識別情報を含むビーコン信号が、例えばＢｌｕｅｔｏｏｔｈの通信規格におけるクラス２の電波強度で発信される。なお、携帯端末２０は、前記ビーコン信号をＷｉ―Ｆｉダイレクトなどの他の通信規格に従って発信してもよい。
【００３０】
一方、特定処理部５２は、携帯端末２０から前記ビーコン信号を受信した場合に、前記サーバーにアクセスして、前記サーバーから前記ビーコン信号に含まれる前記通信識別情報が付与された携帯端末２０の端末識別情報を取得する。これにより、特定処理部５２は、前記ビーコン信号を受信可能な範囲内に存在する複数の携帯端末２０各々を識別可能に認識することが可能である。なお、特定処理部５２は、前記ビーコン信号に含まれる前記通信識別情報に基づいて、複数の携帯端末２０各々を識別可能に認識してもよい。
【００３１】
また、特定処理部５２は、携帯端末２０から受信した前記ビーコン信号の受信電波強度（ＲＳＳＩ）に基づいて、画像処理装置１０と携帯端末２０との間の距離を取得する。例えば、画像処理装置１０の記憶部８には、予め前記ビーコン信号の受信電波強度と前記ビーコン信号を発信する発信機から受信器までの距離とが対応付けられたテーブルデータが記憶されている。特定処理部５２は、通信部７で検出される前記ビーコン信号の受信電波強度に基づいて、前記テーブルデータを参照することで、前記ビーコン信号の受信電波強度に対応する画像処理装置１０と携帯端末２０との間の距離を取得する。
【００３２】
そして、特定処理部５２は、複数の携帯端末２０のうち、画像処理装置１０との間の距離が最も小さい携帯端末２０を、画像処理装置１０を操作するユーザーが所持する携帯端末２０として特定する。なお、特定処理部５２は、前記サーバーから取得される前記端末識別情報又は前記通信識別情報が画像処理装置１０にログインしているユーザーの前記認証情報に含まれている場合に、前記端末識別情報又は前記通信識別情報により識別される携帯端末２０を、画像処理装置１０を操作するユーザーの所持する携帯端末２０として特定してもよい。
【００３３】
また、特定処理部５２が、画像処理装置１０を操作するユーザーを他の人物と区別する手法は、携帯端末２０を用いる手法に限らない。例えば、画像処理装置１０を操作する人物が検出可能な位置に設けられた第１人感センサーと、画像処理装置１０から離れた位置の人物が検出可能な位置に設けられた第２人感センサーとが設けられていることが考えられる。なお、前記第１人感センサー及び前記第２人感センサーは、赤外線又は超音波などを用いて人物を検出する人感センサーである。この場合、特定処理部５２は、前記第１人感センサーにより検出される人物を画像処理装置１０を操作するユーザーとして特定し、前記第２人感センサーによって検出される人物を他の人物として特定する。
【００３４】
速度検出部５３は、画像処理装置１０から予め定められた検出範囲における人物の移動速度を検出する。具体的に、速度検出部５３は、前記検出範囲内に存在する人物が所持する携帯端末２０の移動速度を、前記人物の移動速度として検出する。また、速度検出部５３は、特定処理部５２により特定される画像処理装置１０を操作するユーザーとは異なる他の人物の移動速度を検出する。
【００３５】
例えば、速度検出部５３は、前記ビーコン信号の受信電波強度に基づいて取得される画像処理装置１０と携帯端末２０との間の距離の予め定められた単位時間ごとの変化量に基づいて、前記ビーコン信号を発信する携帯端末２０の移動速度を検出する。この場合、前記検出範囲は、画像処理装置１０において携帯端末２０から発信される前記ビーコン信号を受信可能な範囲である。例えば、前記検出範囲は、携帯端末２０からＢｌｕｅｔｏｏｔｈの通信規格におけるクラス２の電波強度で前記ビーコン信号が発信される場合、約１０メートルである。ここに、前記検出範囲が、本発明における予め定められた範囲の一例である。
【００３６】
ここで、速度検出部５３は、前記検出範囲内に存在する人物の画像処理装置１０に近づく移動速度及び画像処理装置１０から遠ざかる移動速度を区別して検出する。具体的に、速度検出部５３は、前記ビーコン信号の受信電波強度に基づいて取得される画像処理装置１０と携帯端末２０との間の距離が前記単位時間ごとに減少している場合に、前記ビーコン信号を発信する携帯端末２０が画像処理装置１０に近づいていると判断する。一方、速度検出部５３は、前記ビーコン信号の受信電波強度に基づいて取得される画像処理装置１０と携帯端末２０との間の距離が前記単位時間ごとに増加している場合に、前記ビーコン信号を発信する携帯端末２０が画像処理装置１０から遠ざかっていると判断する。
【００３７】
また、速度検出部５３は、前記単位時間ごとに前記検出範囲における人物の移動速度を検出する。ここに、前記単位時間が、本発明における予め定められた間隔の一例である。
【００３８】
ここで、図３を参照しつつ、制御部５による携帯端末２０の移動速度の検出方法について具体的に説明する。なお、図３は画像処理装置１０の設置状況の一例を示す平面図である。例えば、画像処理装置１０は、図３に示すように、オフィス内等においてＴ字状に交差する通路Ｔの交差点などに設置される。なお、図３における一点鎖線は、画像処理装置１０からの所定距離ごとの通信範囲を示すものである。例えば、図３に示す通信範囲Ａ１は、画像処理装置１０から５メートルの範囲である。また、通信範囲Ａ２は画像処理装置１０から７．５メートルの範囲である。また、通信範囲Ａ３は画像処理装置１０から１０メートルの範囲であって、前記検出範囲に相当する。
【００３９】
まず、特定処理部５２は、図３に示す人物Ｘ１、人物Ｘ２、及び人物Ｘ３各々が所持する複数の携帯端末２０各々から受信される前記ビーコン信号各々の受信電波強度に基づいて、複数の携帯端末２０各々と画像処理装置１０との間の距離を取得する。そして、特定処理部５２は、取得された距離が最も小さい人物Ｘ１が所持する携帯端末２０を、画像処理装置１０を操作するユーザーの所持する携帯端末２０として特定する。
【００４０】
次に、速度検出部５３は、特定処理部５２による特定から外れた人物Ｘ２及び人物Ｘ３各々が所持する複数の携帯端末２０各々から受信される前記ビーコン信号各々の受信電波強度に基づいて、複数の携帯端末２０各々と画像処理装置１０との間の距離を前記単位時間ごとに取得する。そして、速度検出部５３は、前記単位時間ごとに取得される距離の変化量に基づいて、人物Ｘ２及び人物Ｘ３各々が所持する複数の携帯端末２０各々の移動速度を検出する。
【００４１】
例えば、図３に示すように、人物Ｘ２が前記単位時間の間に通信範囲Ａ３内の位置Ｐ１から通信範囲Ａ２内の位置Ｐ２まで移動した場合、人物Ｘ２が所持する携帯端末２０からは、位置Ｐ１に対応する前記ビーコン信号及び位置Ｐ２に対応する前記ビーコン信号がそれぞれ発信される。速度検出部５３は、人物Ｘ２が所持する携帯端末２０から受信される位置Ｐ１に対応する前記ビーコン信号に基づいて、画像処理装置１０の設置位置Ｐ３から位置Ｐ１までの距離を取得する。同様に、速度検出部５３は、人物Ｘ２が所持する携帯端末２０から受信される位置Ｐ２に対応する前記ビーコン信号に基づいて、画像処理装置１０の設置位置Ｐ３から位置Ｐ２までの距離を取得する。
【００４２】
そして、速度検出部５３は、設置位置Ｐ３から位置Ｐ１までの距離と、設置位置Ｐ３から位置Ｐ２までの距離との間の差を算出して、位置Ｐ１と位置Ｐ２との間の大まかな距離を取得する。その後、速度検出部５３は、取得された位置Ｐ１と位置Ｐ２との間の距離を前記単位時間で割ることで、人物Ｘ２の所持する携帯端末２０の移動速度を検出する。また、速度検出部５３は、設置位置Ｐ３から位置Ｐ１までの距離が設置位置Ｐ３から位置Ｐ２までの距離より大きいことから、人物Ｘ２の所持する携帯端末２０が画像処理装置１０に近づいていると判断する。
【００４３】
また、図３に示すように、人物Ｘ３が前記単位時間の間に通信範囲Ａ１内の位置Ｐ４から通信範囲Ａ２内の位置Ｐ５まで移動した場合、人物Ｘ３が所持する携帯端末２０からは、位置Ｐ４に対応する前記ビーコン信号及び位置Ｐ５に対応する前記ビーコン信号がそれぞれ発信される。速度検出部５３は、人物Ｘ３が所持する携帯端末２０から受信される位置Ｐ４に対応する前記ビーコン信号に基づいて、画像処理装置１０の設置位置Ｐ３から位置Ｐ４までの距離を取得する。同様に、速度検出部５３は、人物Ｘ３が所持する携帯端末２０から受信される位置Ｐ５に対応する前記ビーコン信号に基づいて、画像処理装置１０の設置位置Ｐ３から位置Ｐ５までの距離を取得する。
【００４４】
そして、速度検出部５３は、設置位置Ｐ３から位置Ｐ４までの距離と、設置位置Ｐ３から位置Ｐ５までの距離との間の差を算出して、位置Ｐ４と位置Ｐ５との間の大まかな距離を取得する。その後、速度検出部５３は、取得された位置Ｐ４と位置Ｐ５との間の距離を前記単位時間で割ることで、人物Ｘ３の所持する携帯端末２０の移動速度を検出する。また、速度検出部５３は、設置位置Ｐ３から位置Ｐ４までの距離が設置位置Ｐ３から位置Ｐ５までの距離より小さいことから、人物Ｘ３の所持する携帯端末２０が画像処理装置１０から遠ざかっていると判断する。
【００４５】
なお、速度検出部５３は、携帯端末２０において取得された前記携帯端末２０を所持する人物の移動速度に関する情報を前記携帯端末２０から取得して、取得された情報に基づいて前記人物の移動速度を取得してもよい。例えば、速度検出部５３は、携帯端末２０で検出された前記携帯端末２０を所持する人物の単位時間あたりの歩数及び前記人物の身体情報を携帯端末２０から取得して、取得された情報に基づいて前記人物の移動速度を算出することが考えられる。
【００４６】
判断処理部５４は、予め定められた特定情報が操作表示部６に表示されている場合に、速度検出部５３により検出される人物の移動速度に基づいて前記特定情報の隠蔽の有無を判断する。例えば、前記特定情報は、前記認証画面においてユーザーによる前記ログイン情報の入力操作に応じて表示されるパスワードである。なお、前記特定情報は、前記認証画面以外の操作画面でユーザーにより入力されるパスワード又はユーザー情報であってもよい。また、前記特定情報は、記憶部８から読み出されて操作表示部６に表示される前記ユーザー情報又はアドレス帳などであってもよい。
【００４７】
具体的に、判断処理部５４は、速度検出部５３により検出される携帯端末２０を所持する人物の画像処理装置１０に近づく移動速度に基づいて、前記特定情報の隠蔽の有無を判断する。
【００４８】
例えば、判断処理部５４は、速度検出部５３により検出される携帯端末２０を所持する人物の移動速度が予め定められた閾値未満である場合に、前記特定情報を隠蔽すると判断する。なお、前記閾値は、成人の平均的な歩行速度及び画像処理装置１０の設置環境等に基づいてユーザー等により適宜の値に設定されるものであってよい。
【００４９】
また、判断処理部５４は、速度検出部５３により検出される携帯端末２０を所持する人物の移動速度が前記単位時間ごとに減少している場合に、前記特定情報を隠蔽すると判断する。
【００５０】
隠蔽処理部５５は、判断処理部５４による判断結果に応じて、操作表示部６に表示されている前記特定情報を隠蔽する。例えば、隠蔽処理部５５は、操作表示部６に表示されている前記特定情報を示す文字画像各々の前面に予め定められた記号画像を重ねて表示させて前記特定情報を隠蔽する。
【００５１】
ここで、隠蔽処理部５５は、速度検出部５３により検出される携帯端末２０を所持する人物の移動速度に応じて、前記特定情報を段階的に隠蔽する。例えば、隠蔽処理部５５は、前記特定情報を示す文字画像各々の前面に重ねて表示される前記記号画像の濃度を段階的に濃くする。
【００５２】
具体的に、隠蔽処理部５５は、速度検出部５３により検出される携帯端末２０を所持する人物の移動速度が速いほど、前記記号画像の濃度の上昇速度を早くする。なお、隠蔽処理部５５は、前記ビーコン信号の受信電波強度に基づいて取得される携帯端末２０と画像処理装置１０との間の距離に応じて、前記特定情報を段階的に隠蔽してもよい。
【００５３】
また、隠蔽処理部５５は、前記特定情報を隠蔽した後に速度検出部５３により検出される携帯端末２０を所持する人物の移動速度が前記単位時間ごとに増加している場合に、前記特定情報の隠蔽状態を解除する。具体的に、隠蔽処理部５５は、速度検出部５３により検出される携帯端末２０を所持する人物の画像処理装置１０から遠ざかる移動速度に基づいて、前記特定情報の隠蔽状態の解除の有無を判断する。
【００５４】
［特定情報隠蔽処理］
以下、図４を参照しつつ、画像処理装置１０において制御部５により実行される特定情報隠蔽処理の手順の一例について説明する。ここで、ステップＳ１、Ｓ２・・・は、制御部５により実行される処理手順（ステップ）の番号を表している。なお、制御部５は、操作表示部６に前記ログイン情報として入力されるパスワードなどの前記特定情報が表示されている間、前記特定情報隠蔽処理を実行する。
【００５５】
＜ステップＳ１＞
まず、ステップＳ１において、制御部５は、前記検出範囲内において複数の人物を検出したか否かを判断する。具体的に、制御部５は、前記検出範囲内において複数の携帯端末２０を検出した場合に、複数の人物を検出したと判断する。また、制御部５は、前記ビーコン信号の受信の有無に基づいて携帯端末２０を検出する。
【００５６】
ここで、制御部５は、前記検出範囲内において複数の人物を検出したと判断すると（Ｓ１のＹｅｓ側）、処理をステップＳ２に移行させる。また、前記検出範囲内において複数の人物を検出していなければ（Ｓ１のＮｏ側）、制御部５は、ステップＳ１で前記検出範囲内における複数の人物の検出を待ち受ける。
【００５７】
＜ステップＳ２＞
ステップＳ２において、制御部５は、画像処理装置１０を操作する現在のユーザーを特定する。具体的に、制御部５は、ステップＳ１で検出された複数の携帯端末２０のうち画像処理装置１０を操作する現在のユーザーの携帯端末２０を特定する。ここで、ステップＳ２の処理は、制御部５の特定処理部５２により実行される。
【００５８】
具体的に、制御部５は、ステップＳ１で受信された複数の前記ビーコン信号各々の受信電波強度に基づいて、複数の携帯端末２０各々と画像処理装置１０との間の距離を取得する。そして、制御部５は、取得された前記距離が最も小さい携帯端末２０を、画像処理装置１０を操作するユーザーが所持する携帯端末２０として特定する。
【００５９】
＜ステップＳ３＞
ステップＳ３において、制御部５は、ステップＳ１で検出された複数の人物のうち、ステップＳ２で特定されたユーザー以外の他の人物の移動速度を検出する。具体的に、制御部５は、複数の携帯端末２０のうち、ステップＳ２における特定から外れた他の携帯端末２０の移動速度を検出する。ここに、ステップＳ３の処理が、本発明における第１ステップの一例であって、制御部５の速度検出部５３により実行される。
【００６０】
具体的に、制御部５は、前記他の携帯端末２０から受信される前記ビーコン信号の受信電波強度に基づいて、前記他の携帯端末２０と画像処理装置１０との間の距離を単位時間ごとに取得する。そして、制御部５は、前記単位時間ごとに取得される前記他の携帯端末２０と画像処理装置１０との間の距離の変化量に基づいて、前記他の携帯端末２０の移動速度を検出する。また、制御部５は、前記単位時間ごとに前記他の携帯端末２０の移動速度を検出する。
【００６１】
ここで、制御部５は、前記検出範囲内に存在する携帯端末２０の画像処理装置１０に近づく移動速度及び画像処理装置１０から遠ざかる移動速度を区別して検出する。具体的に、制御部５は、前記他の携帯端末２０と画像処理装置１０との間の距離の前記単位時間ごとの増減に基づいて、画像処理装置１０に近づく移動速度と画像処理装置１０から遠ざかる移動速度とを区別する。即ち、画像処理装置１０では、画像処理装置１０から遠ざかる人物については前記特定情報を覗き見るおそれがないとみなされて、前記人物の移動速度に基づく前記特定情報の隠蔽は行われない。これにより、不要な前記特定情報の隠蔽処理の実行が回避される。
【００６２】
＜ステップＳ４＞
ステップＳ４において、制御部５は、前記検出範囲において前記他の人物の不存在を検出したか否かを判断する。具体的に、制御部５は、前記他の携帯端末２０の不存在を検出した場合に、前記他の人物の不存在を検出したと判断する。また、制御部５は、前記他の携帯端末２０からの前記ビーコン信号の受信の有無に基づいて前記他の携帯端末２０の不存在を検出する。
【００６３】
ここで、制御部５は、前記他の人物の不存在を検出したと判断すると（Ｓ４のＹｅｓ側）、処理をステップＳ１に移行させる。また、前記他の人物の不存在を検出していなければ（Ｓ４のＮｏ側）、制御部５は、処理をステップＳ５に移行させる。
【００６４】
＜ステップＳ５＞
ステップＳ５において、制御部５は、ステップＳ３で検出された前記他の人物の画像処理装置１０に近づく移動速度が前記閾値未満であるか否かを判断する。
【００６５】
ここで、制御部５は、前記他の人物の画像処理装置１０に近づく移動速度が前記閾値未満であると判断すると（Ｓ５のＹｅｓ側）、処理をステップＳ７に移行させる。また、前記他の人物の画像処理装置１０に近づく移動速度が前記閾値以上であれば（Ｓ５のＮｏ側）、制御部５は、処理をステップＳ６に移行させる。
【００６６】
＜ステップＳ６＞
ステップＳ６において、制御部５は、ステップＳ３で前記単位時間ごとに検出される前記他の人物の画像処理装置１０に近づく移動速度が減少しているか否かを判断する。ここに、ステップＳ５及びステップＳ６の処理が、本発明における第２ステップの一例であって、制御部５の判断処理部５４により実行される。
【００６７】
ここで、制御部５は、前記他の人物の画像処理装置１０に近づく移動速度が減少していると判断すると（Ｓ６のＹｅｓ側）、処理をステップＳ７に移行させる。また、前記他の人物の画像処理装置１０に近づく移動速度が減少していなければ（Ｓ６のＮｏ側）、制御部５は、処理をステップＳ４に移行させて、前記他の人物の不存在が検出されるまでの間、前記他の人物の画像処理装置１０に近づく移動速度の減少又は前記移動速度が前記閾値未満となるのを待ち受ける。即ち、画像処理装置１０では、前記閾値以上の移動速度で、且つ移動速度を減少させることなく画像処理装置１０に近づく人物については前記特定情報を覗き見るおそれがないとみなされて、前記人物の移動速度に基づく前記特定情報の隠蔽は行われない。これにより、不要な前記特定情報の隠蔽処理の実行が回避される。
【００６８】
＜ステップＳ７＞
ステップＳ７において、制御部５は、操作表示部６に表示されている前記特定情報を隠蔽する。ここに、ステップＳ７の処理が、本発明における第３ステップの一例であって、制御部５の隠蔽処理部５５により実行される。
【００６９】
具体的に、制御部５は、操作表示部６に表示されている前記特定情報を示す文字画像各々の前面に前記記号画像を重ねて表示させて前記特定情報を隠蔽する。また、制御部５は、ステップＳ３で検出される前記他の人物の画像処理装置１０に近づく移動速度に応じて、前記特定情報を示す文字画像各々の前面に重ねて表示される前記記号画像の濃度を段階的に濃くする。これにより、前記特定情報の表示が非隠蔽状態から隠蔽状態に一度に切り替わる場合と比較して、前記特定情報を利用するユーザーの利便性の低下が軽減される。例えば、前記特定情報がパスワードであれば、ユーザーは非隠蔽状態から隠蔽状態に切り替わるまでの間に入力済のパスワードの内容を確認することが可能である。
【００７０】
＜ステップＳ８＞
ステップＳ８において、制御部５は、ステップＳ４と同様に、前記検出範囲において前記他の人物の不存在を検出したか否かを判断する。
【００７１】
ここで、制御部５は、前記他の人物の不存在を検出したと判断すると（Ｓ８のＹｅｓ側）、処理をステップＳ１０に移行させる。また、前記他の人物の不存在を検出していなければ（Ｓ８のＮｏ側）、制御部５は、処理をステップＳ９に移行させる。
【００７２】
＜ステップＳ９＞
ステップＳ９において、制御部５は、ステップＳ３で前記単位時間ごとに検出される前記他の人物の画像処理装置１０から遠ざかる移動速度が増加しているか否かを判断する。
【００７３】
ここで、制御部５は、前記他の人物の画像処理装置１０から遠ざかる移動速度が増加していると判断すると（Ｓ９のＹｅｓ側）、処理をステップＳ１０に移行させる。また、前記他の人物の画像処理装置１０から遠ざかる移動速度が増加していなければ（Ｓ９のＮｏ側）、制御部５は、処理をステップＳ８に移行させて、前記他の人物の不存在が検出されるまでの間、前記他の人物の画像処理装置１０から遠ざかる移動速度の増加を待ち受ける。
【００７４】
＜ステップＳ１０＞
ステップＳ１０において、制御部５は、前記特定情報の隠蔽状態を解除する。即ち、画像処理装置１０では、移動速度を増加させて画像処理装置１０から遠ざかる人物については前記特定情報を覗き見るおそれがないとみなされて、前記特定情報の隠蔽が解除される。これにより、前記特定情報の隠蔽状態が不必要に継続されることが回避される。
【００７５】
このように、前記特定情報隠蔽処理では、画像処理装置１０を操作するユーザー以外の人物が所持する携帯端末２０の移動速度が検出されて、前記移動速度に基づいて操作表示部６に表示されている前記特定情報の隠蔽の有無が判断される。即ち、前記特定情報隠蔽処理では、前記移動速度に基づいて前記検出範囲内に存在する人物についての前記特定情報を覗き見るおそれの有無が判断される。これにより、前記検出範囲内に人物が存在する場合に一律に前記特定情報の隠蔽が行われる構成と比較して、不要な隠蔽処理の実行が回避される。したがって、操作表示部６に表示されている前記特定情報の秘匿性が確保されると共に、前記特定情報を利用するユーザーの利便性が向上する。
【００７６】
なお、速度検出部５３が、前記検出範囲内に存在する人物の移動速度を直接検出する構成が他の実施形態として考えられる。例えば、速度検出部５３が、画像処理装置１０の周囲の画像を撮像可能な撮像部で撮像される画像情報に基づいて、前記撮像部による撮像範囲内に存在する人物の移動速度を検出することが考えられる。また、速度検出部５３は、画像処理装置１０の周囲に配置された複数の人感センサー各々における人物の検知間隔に基づいて、複数の人感センサー各々による検知範囲内に存在する人物の移動速度を検出することも考えられる。
【符号の説明】
【００７７】
１  ：ＡＤＦ
２  ：画像読取部
３  ：画像形成部
４  ：給紙部
５  ：制御部
５１：認証処理部
５２：特定処理部
５３：速度検出部
５４：判断処理部
５５：隠蔽処理部
６  ：操作表示部
７  ：通信部
８  ：記憶部
１０：画像処理装置
２０：携帯端末
１００：通信システム
【図１】
2016173725.tif 000003
【図２】
2016173725.tif 000004
【図３】
2016173725.tif 000005
【図４】
2016173725.tif 000006